(57)【要約】      （修正有）【課題】給水タンクの水を交換する作業を不要とし、水カビや雑菌等の繁殖を低減する給水タンクが無く、水道水を直接供給する加湿器を提供する。【解決手段】水道水１を受け入れ、所定量の水を供給する供給部５と、供給部の水を貯水する貯水部１１と、貯水部において所定水位を必要とし、貯水部の水を気化する気化部１３と、所定水位及び貯水部の底面との間に設けられた排水入口８−２を有する排水管９−５とを備え、排水管の一部を所定水位以上の高さに配管した。【選択図】図６
0003229898.tif 000002
【実用新案登録請求の範囲】
【請求項１】
水道水を受け入れ、所定量の水を供給する供給部と、該供給部の水を貯水する貯水部と、該貯水部において所定水位を必要とし、前記貯水部の水を気化する気化部と、前記所定水位及び前記貯水部の底面との間に設けられた排水入口を有する排水管とを備え、前記排水管の一部を前記所定水位以上の高さに配管したことを特徴とする加湿器。
【考案の詳細な説明】
【技術分野】
【０００１】  本考案は、加湿器に係り、特に給水タンクが無く、水道水を直接供給する加湿器に関する。
【背景技術】
【０００２】  乾燥する季節において加湿器は、所定の湿度を保つことにより風邪やインフルエンザの感染予防ができることが知られており、体力的に弱い高齢者にはなくてはならない設備となっている。特に多くの高齢者が居住する介護施設等に向けて、特許文献１のように加湿のための給水タンクが無く、塩素を含むフレッシュな水道水を常時直接供給できる形態を実現することにより、施設内の各部屋に設置された加湿器の給水タンクの水を毎日交換する作業を不要とし、かつ塩素により加湿器内の水カビや雑菌等の繁殖を極力低減する提案がなされている。
【先行技術文献】
【特許文献】
【０００３】
【特許文献１】特開２０１６−４４９０９
【考案の概要】
【考案が解決しようとする課題】
【０００４】  特許文献１によれば、流入水の受け入れ部１１０から流入水を排出する排出部１５０までの流水経路において気化部を備える加湿器であり、同文献１の図２（加湿器の断面図）及び段落［００３４］の記載によれば、流入水の水面が上昇して排出部１５０の縁以上までに達すると流入水が排出部１５０から排水管６０を通って系外に自然に排出される。一方、同文献１の図２及び段落［００５４］の記載によれば、ファン１８０の送風により水蒸気又はミストを排出する排出部１２０を有している。【０００５】  従って、流入水を排出する排出部１５０及び水蒸気又はミストを排出する排出部１２０は、同一の空間に存在しているので、ファン１８０の送風によって水蒸気又はミストは排出部１２０から主に排出されるが、水蒸気又はミストの一部が排出部１５０からも漏れとして排出され、排出部１２０から排出される水蒸気又はミストの量が少なくなるという課題がある。特に加湿器を小型化してコストダウン、サイズダウンする場合には、この空間がより狭くなるため、排出部１５０から漏れる水蒸気又ミストの量が多くなる。【０００６】  また、排出部１５０は、流入水の水面が上昇すると水面付近の流入水を排出するので、流水経路は貯まった流入水の付近であり、貯まった流入水の底部や中間部では水がよどみ易く、時間の経過に伴いぬめりが発生し水カビや雑菌等が繁殖しやすいという課題もある。
【課題を解決するための手段】
【０００７】  水道水を受け入れ、所定量の水を供給する供給部と、供給部の水を貯水する貯水部と、貯水部において所定水位を必要とし、貯水部の水を気化する気化部と、所定水位及び貯水部の底面との間に設けられた排水入口を有する排水管とを備え、排水管の一部を所定水位以上の高さに配管したことを特徴とする加湿器により、課題を解決することができる。
【考案の効果】
【０００８】  本考案によれば、貯水部における所定水位及び貯水部の底面との間に排水管の排水入口を設け、排水管の一部を所定水位以上の高さに配管することにより、特許文献１における図２記載の排出部１５０を経由した水蒸気又はミスト漏れを防止し、部屋を加湿する十分な水蒸気又はミストを放出できる加湿器を提供できるという効果がある。また本考案によって、水蒸気又はミストの漏れを防止できるため、ファンの送風能力を低減することができ、より低消費電力の加湿器を提供できるという効果もある。【０００９】  また本考案によれば、貯水部における所定水位及び貯水部の底面との間に排水管の排水入口が設けられているため、貯水部の水中や底部に発生するぬめりを排出することができ、より衛生的な加湿器を提供できるという効果もある。
【図面の簡単な説明】
【００１０】
【図１】本考案の第一の実施例の斜視図
【図２】本考案の第一の実施例の断面図
【図３】本考案の第二の実施例の斜視図
【図４】本考案の第二の実施例の断面図
【図５】本考案の第三の実施例の断面図
【図６】本考案の第四の実施例の断面図
【考案を実施するための形態】
【００１１】  以下、添付図面を参照しながら、本考案を実施するための形態を説明する。
【実施例１】
【００１２】  第一の実施例を、図１（斜視図）及び図２（図１のＡ−Ａ断面図）を参照しながら説明する。図１において水道水１は、水道管２に所定圧力にて供給されており、水道水１を受け入れる受入れ管３を通して、所定量の水を加湿器４に供給する供給部５に導入されている。また同図における加湿器４は、水蒸気を排出する排出部６を有し、水蒸気を空気中に放出する排出管７に接続されており、また排水のための排水入口８（作用としては特許文献１の排出部１５０に相当）を有し、排水管９に接続されており、更に空気の吸込み部１０を有している。また排水管９は、クランク道路のような形状により下から上に配管され、他端が排水出口となっている。【００１３】  次に図２（図１と同一手段には同一符号が付けてあり、他の図３、４、５、６においても同様）において、加湿器４は、供給部５からの水を貯める貯水部１１を有し、また貯水部１１における所定水位Ｄを検出する水位センサ１２を有し、更に貯水部１１の水を水蒸気に気化させる気化部１３、吸込み部１０から外気を取り込み、水蒸気を排出管７から放出するためのファン１４を有している。【００１４】  以下、第一の実施例を詳細に説明する。供給部５は、水道水１から所定量の水を貯水部１１に供給するが、例えば供給部５による水の所定量をＷ（リットル／時間）とし、気化部１３の気化能力をＶ（リットル／時間）とすれば、Ｖ≦Ｗとなるように調整されている。すなわち気化部１３にて水蒸気が常時発生して貯水部１１の水位が低下しても、これを補う十分な量の水を供給部５から供給できるようにしている。また、Ｖ＜Ｗとなっている場合、貯水部１１の水位は、徐々に上昇することになる。もしＶ＞Ｗとなっている場合には、貯水部１１の水位は、徐々に低下することになる。【００１５】  また気化部１３が例えば超音波振動子である場合、超音波振動子が、水蒸気を発生するためには貯水部１１の水位が所定水位Ｄ以上必要であり、水位センサ１２にて所定水位Ｄ以下を検出した時に超音波振動子の動作を停止するように制御されている（図示せず）。すなわちＶ＞Ｗの状態で貯水部１１の水位が、所定水位Ｄ以下に低下した場合に水位センサ１２により、気化部１３の動作が停止される。【００１６】  更に排水入口８の開口は、貯水部１１の底面から所定水位Ｄの間の、貯水部１１側壁に配置されている。また排水入口８に接続された排水管９は、上方に向けてクランク道路のように配管されて、排水管９の一部が、所定水位Ｄ以上の高さに配管されている。尚、排水管９の他端が排水出口となっている。【００１７】  従って、貯水部１１の水位が、所定水位Ｄ以上になり、更に排水管９の高さ以上に達すれば、排水出口から排水が開始されることになる。貯水部１１の水位が上昇する要因としては、気化部１３が水蒸気を発生している状態でＶ＜Ｗが継続している場合と、排出管７から水蒸気が外部に十分放出されて、加湿器４を設置している部屋の湿度が所定数（例えば６０％）を超えた時に気化部１３の動作を停止するように制御される場合（Ｖ＝０となる）と、雨の日など元々湿度が高い（例えば６０％）時にも気化部１３の動作が停止される場合（この時もＶ＝０となる）とがある。一方供給部５による所定量（Ｗ）の水供給は、常に継続されるため、前記の場合、貯水部１１の水位は上昇するのである。【００１８】  また気化部１３は、貯水部１１の水を水蒸気に気化し、一方ファン１４は、外気を吸込み部１０から加湿器４内の空間に送り込むため、水蒸気は、排出部６及び排出管７を通して外部に放出され、加湿器４が設置してある部屋の加湿を行うことができるのである。【００１９】  従って、排水入口８を貯水部１１の底面から所定水位Ｄの間の、貯水部１１の側壁に設けることにより、特許文献１のように排水入口から水蒸気が漏れることがなく、また貯水部１１の水中に水カビや雑菌等の繁殖の原因になるぬめりが発生したとしても、これを外部に排出できるため、より衛生的な加湿器を提供できるのである。【００２０】  尚、排水入口８は、貯水部１１の底面から所定水位Ｄの間であれば、貯水部１１側壁のどこに配置することも可能であり、また気化部１３は、超音波振動子以外の、水蒸気を発生する他のどんな手段であってもよい。
【実施例２】
【００２１】  次に第二の実施例を、図３（斜視図）及び図４（図３のＡ−Ａ断面図）を参照しながら説明する。同図３及び４が、図１及び２と異なる部分は、排水入口８−１が貯水部１１の底面に設けられ、排水管９−１と接続されていることである。排水管９−１は、貯水部１１の底面から一旦下方に配管されたのち、上方に向けてクランク道路のように配管され、排水管９−１の一部が、所定水位Ｄ以上の高さに配管されている。尚、排水管９−１の他端は、排水出口となっている。【００２２】  供給部５からの所定量の水供給、気化部１３による水蒸気発生、ファン１４による排出管７からの水蒸気放出、貯水部１１の水位上下における形態は、第一の実施例と同様である。【００２３】  異なる形態としては、単に排水入口８−１が、貯水部１１の底面に配置されていることであり、これによって貯水部１１の底面付近の水を吸込み、水カビや雑菌等の繁殖の原因になるぬめりなどを排水管９−１の排水出口から外部に排出することができるということである。従って、特許文献１のように排水入口８−１から水蒸気が漏れることがないという効果も、第一の実施例と同様である。【００２４】  尚、排水入口８−１は、貯水部１１の底面のどこに配置することも可能であり、また気化部１３は、超音波振動子以外の、水蒸気を発生する他のどんな手段であってもよい。
【実施例３】
【００２５】  次に第三の実施例を、図５（断面図）を参照しながら説明する（斜視図は図示せず）。同図が、図２及び図４と異なる部分は、排水入口８及び８−１の両方を有しており、各々排水管９−２及び９−３に接続され、更に排水管９−２及び９−３の他端が共通排水管９−４に接続されている。共通排水管９−４は、上方に向けてクランク道路のように配管され、共通排水管９−４の一部が、所定水位Ｄ以上の高さに配管されている。尚、共通排水管９−４の他端は、排水出口となっている。【００２６】  供給部５からの所定量の水供給、気化部１３による水蒸気発生、ファン１４による排出管７からの水蒸気放出、貯水部１１の水位上下における形態は、第一の実施例と同様である。【００２７】  異なる形態としては、貯水部１１に排水入口８及び８−１の両方を有するため、貯水部１１の水中にあるぬめり、また貯水部１１の底面付近にあるぬめりの両方を外部に排出することができるということである。また、特許文献１のように排水入口８及び８−１から水蒸気が漏れることがないという効果も、第一の実施例と同様である。【００２８】  尚、排水入口８は、貯水部１１の底面から所定水位Ｄの間の、貯水部１１の側壁であればどこに配置することも可能であり、排水入口８−１も、貯水部１１の底面のどこに配置することも可能であり、また気化部１３は、超音波振動子以外の、水蒸気を発生する他のどんな手段であってもよい。
【実施例４】
【００２９】  更に、第四の実施例を、図６（断面図）を参照しながら説明する（斜視図は図示せず）。同図において、図２と異なる部分は、排水管９−５がＬ字型となっており、排水管９−５の一端である排水入口８−２は、貯水部１１の底面から所定水位Ｄの間の水中に配置され、また排水管９−５の水平部は、所定水位Ｄ以上の高さに配管されている。尚、排水管９−５の他端は、排水出口となっている。また、同図の排水入口８−２は、図２の排水入口８が貯水部１１の側壁に設けられているのに対して、貯水部１１の水中に配置されているが、貯水部１１の底面から所定水位Ｄの間に設けられている点では、図２と同様と言える。【００３０】  供給部５からの所定量の水供給、気化部１３による水蒸気発生、ファン１４による排出管７からの水蒸気放出、貯水部１１の水位上下における形態は、第一の実施例と同様であり、図２と異なる形態は、貯水部１１の水位が、所定水位Ｄ以上に上昇し、排水管９−５の水平部の高さ以上になれば、貯水部１１の水中から排水入口８−２を経由して水が吸い込まれ、結果的に排水管９−５を通って排水出口から水が排出されることである。【００３１】  従って、実施例１と同様に、排水入口８−２付近にある水中の水カビや雑菌等の繁殖の原因となるぬめりを外部に排出することができ、また、排水入口８−２から水蒸気が漏れることがないという効果がある。【００３２】  尚、排水入口８−２は、貯水部１１の底面から所定水位Ｄの間の水中であればどこに配置することも可能であり、また気化部１３は、超音波振動子以外の、水蒸気を発生する他のどんな手段であってもよい。
【符号の説明】
【００３３】  １  水道水
２  水道管
３  受入れ管
４  加湿器
５  供給部
６  排出部
７  排出管
８  排水入口
８−１  排水入口
８−２  排水入口
９  排水管
９−１  排水管
９−２  排水管
９−３  排水管
９−４  共通排水管
９−５  排水管
１０  吸込み部
１１  貯水部
１２  水位センサ
１３  気化部
【図１】
0003229898.tif 000003
【図２】
0003229898.tif 000004
【図３】
0003229898.tif 000005
【図４】
0003229898.tif 000006
【図５】
0003229898.tif 000007
【図６】
0003229898.tif 000008